(57)【要約】【課題】  本発明はプラズマ生成用高周波電力および高周波バイアス電力を時間変調するプラズマ処理装置において、安定したプロセス性能を得ることができるプラズマ処理装置を提供する。【解決の手段】  本発明は試料をプラズマ処理する処理室と、処理室内にプラズマを生成するためのプラズマ生成用高周波電源と、試料が載置された試料台に高周波バイアス電力を供給する高周波バイアス電源と、プラズマ生成用高周波電源の出力を変調するための第一のパルスと高周波バイアス電源の出力を変調するための第二のパルスを生成するパルス発生ユニットと、プラズマ処理を行うための制御を行う制御部とを備えるプラズマ処理装置において、パルス発生ユニットは、制御部から送信されたパルス遅延時間に基づいて同期した第一のパルスと第二のパルスを生成し、パルス遅延時間は、第二のパルスを第一のパルスに対して遅らせる時間であることを特徴とする。【選択図】図１
2014022482.tif 000002
【特許請求の範囲】
【請求項１】
試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、
前記パルス発生ユニットは、前記制御部から送信されたパルス遅延時間に基づいて同期した前記第一のパルスと前記第二のパルスを生成し、
前記パルス遅延時間は、前記第二のパルスを前記第一のパルスに対して遅らせる時間であることを特徴とするプラズマ処理装置。
【請求項２】
請求項１記載のプラズマ処理装置において、
前記パルス発生ユニットは、制御ユニットと、第一のパルスカウンタと、第二のパルスカウンタとを具備し、
前記制御ユニットは、前記制御部から送信された前記第一のパルスの周波数及びデューティー比と前記制御部から送信された前記第二のパルスの周波数及びデューティー比と前記パルス遅延時間に基づいて第一のカウント値と第二のカウント値と第一のリセット信号と第二のリセット信号を生成し、
第一のパルスカウンタは、前記制御ユニットから受信した第一のカウント値と第一のリセット信号に基づいて前記第一のパルスを生成して前記生成された第一のパルスを前記プラズマ生成用高周波電源に出力し、
第二のパルスカウンタは、前記制御ユニットから受信した第二のカウント値と第二のリセット信号に基づいて前記第二のパルスを生成して前記生成された第二のパルスを前記高周波バイアス電源に出力することを特徴とするプラズマ処理装置。
【請求項３】
請求項１記載のプラズマ処理装置において、
前記パルス遅延時間は、前記高周波バイアス電源の出力のVpp、または、プラズマ発光レベルに応じて設定されることを特徴とするプラズマ処理装置。
【請求項４】
試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、
前記制御部は、前記プラズマ生成用高周波電源、前記高周波バイアス電源のそれぞれの出力を連続出力する連続出力モードから前記プラズマ生成用高周波電源、前記高周波バイアス電源のそれぞれの出力をパルス変調するパルス変調モードへ移行する場合、前記プラズマ生成用高周波電源の連続出力モードからパルス変調モードへの移行を前記高周波バイアス電源の連続出力モードからパルス変調モードへの移行より遅らせる制御を行うことを特徴とするプラズマ処理装置。
【請求項５】
試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、
前記制御部は、前記プラズマ生成用高周波電源、前記高周波バイアス電源のそれぞれの出力をパルス変調するパルス変調モードから前記プラズマ生成用高周波電源、前記高周波バイアス電源のそれぞれの出力を連続出力する連続出力モードへ移行する場合、前記高周波バイアス電源のパルス変調モードから連続出力モードへの移行を前記プラズマ生成用高周波電源のパルス変調モードから連続出力モードへの移行より遅らせる制御を行うことを特徴とするプラズマ処理装置。
【発明の詳細な説明】
【技術分野】
【０００１】
本発明はプラズマ処理装置に係り、特に半導体素子等の試料を加工するために、プラズマを用い且つ試料に高周波バイアスを印加することにより微細パターンを高精度にエッチング処理を施すのに好適なプラズマ処理装置に関するものである。
【背景技術】
【０００２】
現在、半導体素子の表面を高精度に処理するためには、エッチング時に発生する反応生成物の制御が重要になりつつある。従来技術として、特許文献１には、プラズマやバイアスの時間変調による反応生成物の制御方法が開示されている。
【０００３】
また、一般的にパルス変調されたマイクロ波を用いたパルスプラズマの場合、マイクロ波がオンすると、自由電子はマイクロ波から獲得したエネルギーで他の原子、分子を分離、または解離させ、プラズマを生成させるが、マイクロ波がオフすると、自由電子は数μsの期間にほとんどが原子、分子に捕縛され、ネガティブイオンが生成され、チャージアップを防止する効果がある。
【先行技術文献】
【特許文献】
【０００４】
【特許文献１】特開平８−２５０４７９号公報
【発明の概要】
【発明が解決しようとする課題】
【０００５】
しかしながら、プラズマ生成用高周波や高周波バイアスを時間変調させると以下のような三つの課題がある。
【０００６】
先ず一つ目の課題は、マイクロ波のみをパルス変調し、連続した高周波バイアスを印加すると、マイクロ波がオフしている期間、すなわち電子温度が下がる期間に、高周波バイアス電源のピーク・トウ・ピーク電圧(以下、Vppと称する)が跳ね上がる現象が発生することである。この現象が発生すると選択比が低下する問題が生じる。
【０００７】
次に二つ目の課題は、プラズマ生成用高周波や高周波バイアスのオン・オフをパルス状に繰り返す場合、プラズマ生成用高周波を時間変調するためのパルスと高周波バイアスを時間変調するためのパルスを同期させてオン・オフを繰り返すが、プラズマ生成用高周波電源内部、または高周波バイアス電源内部での内部処理遅延時間及びマイクロ波を発生させるマグネトロンでの出力立ち上り時間の遅延等により、実際にはマイクロ波電力出力のオンタイミングと高周波バイアス電源出力のオンタイミングのずれが発生することである。
【０００８】
さらにマイクロ波の出力をパルス変調する場合、パルス出力の立ち上り時は、発光強度が安定するまでの立ち上り時間を要する。その期間に高周波バイアスが印加されると、その期間は高周波バイアスのVppが高くなり、エッチング特性のばらつきや、一つ目の課題と同様に選択比の低下など、プロセス特性への影響が生じてしまう。
【０００９】
次に三つ目の課題は、実際のプラズマエッチング装置運用の際に、時間変調ではなく連続的に出力をし続ける連続出力モードとプラズマ生成用高周波や高周波バイアスを時間変調する時間変調出力モードの２つのモードを連続的に切り替えて使用する場合がある。
【００１０】
例えば、連続出力モードから時間変調出力モードに切り替える場合、プラズマ生成用高周波電源の方が高周波バイアス電源に先行して時間変調出力モードに移行してしまった場合、高周波バイアス電源の出力がまだ連続出力モードのため、プラズマ生成用高周波電源のパルス出力のオフ期間に高周波バイアス電源が出力され、一つ目の課題と同様に高周波バイアス電源のVppが跳ね上がってしまう問題が生じる。
【００１１】
逆に、時間変調出力モードから連続出力モードに切り替える場合は、高周波バイアス電源の方がプラズマ生成用高周波電源に先行して連続出力モードに移行してしまった場合、高周波バイアス電源のVppが跳ね上がる問題が発生してしまうことになる。
【００１２】
本発明は、上述した課題を解決するために、プラズマ生成用高周波電力および高周波バイアス電力を時間変調するプラズマ処理装置において、安定したプロセス性能を得ることができるプラズマ処理装置を提供する。
【課題を解決するための手段】
【００１３】
本発明は、試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、前記パルス発生ユニットは、前記制御部から送信されたパルス遅延時間に基づいて同期した前記第一のパルスと前記第二のパルスを生成し、前記パルス遅延時間は、前記第二のパルスを前記第一のパルスに対して遅らせる時間であることを特徴とする。
【００１４】
また、本発明は、試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、前記制御部は、前記プラズマ生成用高周波電源、前記高周波バイアス電源のそれぞれの出力を連続出力する連続出力モードから前記プラズマ生成用高周波電源、前記高周波バイアス電源のそれぞれの出力をパルス変調するパルス変調モードへ移行する場合、前記プラズマ生成用高周波電源の連続出力モードからパルス変調モードへの移行を前記高周波バイアス電源の連続出力モードからパルス変調モードへの移行より遅らせる制御を行うことを特徴とする。
【００１５】
また、本発明は、試料をプラズマ処理する処理室と、前記処理室内にプラズマを生成するためのプラズマ生成用高周波電源と、前記試料が載置された試料台に高周波バイアス電力を供給する高周波バイアス電源と、前記プラズマ生成用高周波電源の出力を変調するための第一のパルスと前記高周波バイアス電源の出力を変調するための第二のパルスを生成するパルス発生ユニットと、前記プラズマ処理を行うための制御を行う制御部とを備えるプラズマ処理装置において、前記制御部は、前記プラズマ生成用高周波電源、前記高周波バイアス電源のそれぞれの出力をパルス変調するパルス変調モードから前記プラズマ生成用高周波電源、前記高周波バイアス電源のそれぞれの出力を連続出力する連続出力モードへ移行する場合、前記高周波バイアス電源のパルス変調モードから連続出力モードへの移行を前記プラズマ生成用高周波電源のパルス変調モードから連続出力モードへの移行より遅らせる制御を行うことを特徴とする。
【発明の効果】
【００１６】
本発明により、プラズマ生成用高周波電力および高周波バイアス電力を時間変調するプラズマ処理装置において、安定したプロセス性能を得ることができる。
【図面の簡単な説明】
【００１７】
【図１】本発明の実施例に係るマイクロ波ＥＣＲプラズマエッチング装置の縦断面図である。
【図２】マイクロ波および高周波バイアスの変調パルスのタイミングチャートである。
【図３】マイクロ波の変調パルスの出力が高周波バイアスの変調パルスより遅れた場合のパルス波形である。
【図４】本発明のマイクロ波および高周波バイアスの変調パルスのタイミングチャートである。
【図５】パルス発生ユニットの構成図である。
【図６（ａ）】パルス出力１とパルス出力２のそれぞれの遅延時間の一例を示す図である。
【図６（ｂ）】パルス出力１とパルス出力２のそれぞれの遅延時間の一例を示す図である。
【図７】本発明によるシリコン酸化膜に対するポリシリコン膜の選択比を示す図である。
【図８】プラズマ発光レベルと高周波バイアス出力のVppの関係を示す図である。
【図９】プラズマ発光を用いたパルス遅延時間の設定方法を示す図である。
【図１０（ａ）】連続出力モードからパルス変調モードへの移行を示す図である。
【図１０（ｂ）】パルス変調モードから連続出力モードへの移行を示す図である。
【発明を実施するための形態】
【００１８】
以下、本発明を実施するための形態を、図面を参照しながら説明する。本発明の一実施例に係るＥＣＲ(Ｅｌｅｃｔｒｏｎ  Ｃｙｃｌｏｔｒｏｎ  Ｒｅｓｏｎａｎｃｅ)方式のマイクロ波プラズマエッチング装置の概略縦断面図を図１に示す。
【００１９】
上部が開放された真空容器１０１の上部に、真空容器１０１内にエッチングガスを導入するためのシャワープレート１０２（例えば石英製）と、誘電体窓１０３（例えば石英製）とを設置し、密封することにより処理室１０４を形成する。シャワープレート１０２にはエッチングガスを流すためのガス供給装置１０５が接続される。また、真空容器１０１には排気用開閉バルブ１１７及び排気速度可変バルブ１１８を介し真空排気装置１０６が接続されている。処理室１０４内は排気用開閉バルブ１１７を開とし、真空排気装置１０６を駆動することで減圧され、真空状態となる。処理室１０４内の圧力は排気速度可変バルブ１１８により所望の圧力に調整される。エッチングガスは、ガス供給装置１０５からシャワープレート１０２を介して処理室１０４内に導入され、排気速度可変バルブ１１８を介して真空排気装置１０６によって排気される。また、シャワープレート１０２に対向して真空容器１０１の下部に試料台である試料載置用電極１１１が設けられる。
【００２０】
プラズマを生成するための電力を処理室１０４に伝送するため、誘電体窓１０３の上方には電磁波を伝送する導波管１０７が設けられる。導波管１０７へ伝送される電磁波は、プラズマ生成用高周波電源である電磁波発生用電源１０９から発振させる。電磁波発生用電源１０９には、パルス発生ユニット１２１が取り付けられており、これによりマイクロ波を図２に示すように任意に設定可能な繰り返し周波数でパルス状に変調することができる。尚、本実施例の効果は、電磁波の周波数に特に限定されないが、本実施例では２．４５ＧＨｚのマイクロ波を使用する。
【００２１】
処理室１０４の外部には、磁場を形成する磁場発生コイル１１０が設けてあり、電磁波発生用電源１０９より発振された電磁波は、磁場発生コイル１１０により形成された磁場との相互作用により、処理室１０４内に高密度プラズマを生成し、試料載置用電極１１１上に配置された、試料であるウエハ１１２にエッチング処理を施す。シャワープレート１０２、試料載置用電極１１１、磁場発生コイル１１０、排気用開閉バルブ１１７、排気速度可変バルブ１１８及びウエハ１１２は処理室１０４の中心軸上に対して同軸に配置されているため、エッチングガスの流れやプラズマにより生成されたラジカル及びイオン、更にはエッチングにより生成された反応生成物はウエハ１１２に対し同軸に導入、排気される。この同軸配置はエッチングレート、エッチング形状のウエハ面内均一性を軸対称に近づけ、ウエハ処理均一性を向上させる効果がある。
【００２２】
試料載置用電極１１１は電極表面が溶射膜（図示せず）で被覆されており、高周波フィルター１１５を介して直流電源１１６が接続されている。
【００２３】
さらに、試料載置用電極１１１には、マッチング回路１１３を介して高周波バイアス電源１１４が接続される。高周波バイアス電源１１４には、パルス発生ユニット１２１が取り付けられており、同様に図２に示すような時間変調された間欠的な高周波電力を選択的に試料載置用電極１１１に供給することができる。尚、本実施例の効果は、高周波バイアスの周波数に特に限定されないが、本実施例では４００ｋＨｚの高周波を使用する。
【００２４】
上述のＥＣＲマイクロ波プラズマエッチング装置を用いたエッチング処理を制御する制御部１２０は、入力手段（図示せず）により、電磁波発生用電源１０９、高周波バイアス電源１１４、パルス発生ユニット１２１のパルスのオン・オフタイミングを含む繰り返し周波数やデューティー比、エッチングを実施するためのガス流量、処理圧力、電磁波電力、高周波バイアス電力、コイル電流等のエッチングパラメータを制御している。尚、デューティー比とは、パルスの１周期に対するオン期間の割合のことである。
【００２５】
以下に、電磁波発用電源１０９のから時間変調された間欠的な電磁波を発生する場合と、高周波バイアス電源１１４から時間変調された間欠的な高周波電力を試料載置用電極１１１に供給する場合の制御部１２０の機能について、図２を用いて説明する。
【００２６】
制御部１２０は、電磁波発用電源１０９と高周波バイアス電源１１４をパルス状に変調するための繰り返し周波数、デューティー比、電磁波発生用電源１０９のオンのタイミングと高周波バイアス電源１１４のオンのタイミングを合わせた時間情報を、パルス発生ユニット１２１に設定する。電磁波発用電源１０９は図２に示すようなオン・オフのタイミングで、電磁波を発生させる。同様に、高周波バイアス電源１１４も図２に示すようなオン・オフのタイミングで、高周波を発生させる。前述のオン時間、オフ時間のパルス生成手法、及び同期制御手法については、いろいろな手法があるが、ここでは詳細に述べないが、一実施例を後述する。
【００２７】
次に電磁波発生用電源１０９と高周波バイアス電源１１４の変調タイミングを同期させた場合における、さらに高周波バイアスのVppが安定して出力され、高選択比を確保できる手法を説明する。
【００２８】
制御部１２０から指令された出力タイミング、繰り返し周波数、デューティー比で、パルス発生ユニット１２１は電磁波発生用電源１０９に、パルス情報を送信する。さらに、パルス発生ユニット１２１は制御部１２０から指令された出力タイミング、繰り返し周波数、デューティー比のパルス情報を高周波バイアス電源１１４に送信する。電磁波発生用電源１０９はパルス発生ユニット１２１から指示されたオン・オフタイミングで、電磁波発生用電源１０９に高電圧を印加しマイクロ波を発生させるが、実際の環境下では、電磁波発生用電源１０９の内部処理遅延時間や、マグネトロンでの出力立ち上り時間の遅延時間等の発生によって、マイクロ波出力パルスの立ち上りが遅れる場合が発生する。
【００２９】
そうした場合、図３に示すように、マイクロ波出力遅れ時間２０１の間に高周波バイアスのVppが大きくなり、前述の通り選択比の低下が発生してしまう可能性がある。その解決策として、制御部１２０は、電磁波発生用電源１０９の出力タイミングが、高周波バイアス電源１１４の出力タイミングよりも先となるように、パルス発生ユニット１２１に、電磁波発生用電源１０９の出力タイミング、繰り返し周波数、デューティー比の情報と、高周波バイアス電源１１４の出力タイミング、繰り返し周波数、デューティー比の情報を送信する。
【００３０】
パルス発生ユニット１２１は、制御部１２０からの指示に従って図４に示すように高周波バイアス電源１１４の出力タイミングを電磁波発生用電源１０９の出力タイミング(マイクロ波)よりパルス遅延時間２０２の時間だけ遅らせることができ、その結果、常に安定した高周波バイアスVppが印加されることで、選択比の低下を防止することが可能となる。
【００３１】
次に電磁波発生用電源１０９と高周波バイアス電源１１４のオン・オフのタイミング調整手段について、図１を用いて説明する。
【００３２】
まず制御部１２０は、電磁波発用電源１０９と高周波バイアス電源１１４をパルス状に変調出力するための繰り返し周波数、デューティー比、電磁波発生用電源１０９のオン・オフのタイミングと高周波バイアス電源１１４のオン・オフのタイミング時間の情報を、パルス発生ユニット１２１にそれぞれ設定し、電磁波発用電源１０９と高周波バイアス電源１１４の変調出力タイミングを同期して出力させたときの、高周波バイアス電源１１４の出力波形を確認する。
【００３３】
出力波形の確認方法は、例えば、方向性結合器(ｄｉｒｅｃｔｉｏｎａｌ  ｃｏｕｐｌｅｒ)を用いて高周波バイアス電源１１４の出力波形をピックアップすることで可能である。ピックアップされた出力波形はオシロスコープ１１９で表示され、高周波バイアス電源１１４の出力のVppが安定しているかを確認できる。高周波バイアス電源１１４の出力のVppが一定でない場合は、安定したVppの出力が得られるように、高周波バイアス電源１１４の出力立ち上りタイミングを図４のパルス遅延時間２０２の時間だけ遅らせたパルス情報を、制御部１２０からパルス発生ユニット１２１に設定することで、高周波バイアス電源出力のVppを安定させるためのオン・オフのタイミング調整を容易に実施することができる。つまり、パルス遅延時間２０２は、高周波バイアス電源１１４の出力のVppが安定する時間とする。
【００３４】
ここで述べた高周波バイアス電源１１４の変調パルスの出力立ち上りタイミングを遅らせる手法について図５を用いて説明する。パルス発生ユニット１２１は、基準クロックを内部に備え、該基準クロックが第一のパルスカウンタ１２２と第二のパルスカウンタ１２３にそれぞれ入力される。
【００３５】
第一のパルスカウンタ１２２は、電磁波発生用電源１０９の時間変調用パルスであるパルス出力１を生成し、第二のパルスカウンタ１２３は、高周波バイアス電源１１４の時間変調用パルスであるパルス出力２を生成する。尚、基準クロックとは、パルス出力１とパルス出力２を生成するための基となるパルス波形である。
【００３６】
パルス発生ユニット１２１内部の制御ユニット１２４は、制御部１２０から電磁波発生用電源１０９のパルス情報信号１（例えば、パルスの周波数とデューティー比）と、高周波バイアス電源１１４のパルス情報信号２（例えば、パルスの周波数とデューティー比）とパルス出力１に対するパルス出力２の遅延時間であるパルス遅延時間２０２を受信する。
【００３７】
そして、制御ユニット１２４は、受信した、パルス情報信号１とパルス情報信号２とパルス遅延時間２０２に応じてカウント値１とリセット信号１を第一のパルスカウンタ１２２に、カウント値２とリセット信号２を第二のパルスカウンタ１２３にそれぞれ送信する。
【００３８】
尚、リセット信号１、２は、パルスの周波数とデューティー比を変更する場合にカウント値１、２をリセットしたり、パルス遅延時間の調整等を行うための信号である。また、カウント値１、２は、基準クロックから所望の周波数及びデューティー比のパルスを生成するための信号である。
【００３９】
制御ユニット１２４から送信されたカウント値１とリセット信号１により第一のパルスカウンタ１２２は、所望の周波数およびデューティー比であるパルス出力１を生成し、このパルス出力１を電磁波発生用電源１０９に出力することにより、マイクロ波をパルス変調する。また、同様に制御ユニット１２４から送信されたカウント値２とリセット信号２により第二のパルスカウンタ１２３は、所望の周波数およびデューティー比であるパルス出力２を生成し、このパルス出力２を高周波バイアス電源１１４に出力することにより、高周波バイアスをパルス変調する。
【００４０】
また、第一のパルスカウンタ１２２から生成されたパルス出力１と第二のパルスカウンタ１２３から生成されたパルス出力２は、図６(ａ)に示すようにある基準時間からそれぞれＡ１の時間、Ｂ１の時間遅延している。尚、Ｂ１の時間は、Ａ１の時間より、制御ユニット１２４が受信したパルス遅延時間２０２だけ長くなっている。
【００４１】
このようにしてパルス出力２をパルス出力１よりパルス遅延時間２０２だけ遅延させてパルス出力１とパルス出力２を同期させている。逆に図６(ｂ)に示すようにＡ１の時間をＢ１の時間より長くすることにより、パルス出力１をパルス出力２よりＡ１とＢ１の差分の時間だけ遅延させることもできる。
次に上述した本発明のように、電磁波発用電源１０９と高周波バイアス電源１１４のそれぞれのパルス変調のタイミングを同期させた場合と電磁波発用電源１０９のみパルス変調した場合において、表面全体がポリシリコン膜のウエハと表面全体がシリコン酸化膜のウエハを、表１の条件でエッチング処理して算出した選択比を図７に示す。なお、図７の横軸の「％」は、電磁波発用電源１０９と高周波バイアス電源１１４のパルス変調のデューティー比である。
【００４２】
【表１】
2014022482.tif 000003
【００４３】
図７より、電磁波発用電源１０９により発振されたマイクロ波のみ間欠的に時間変調するよりも、電磁波発用電源１０９と高周波バイアス電源１１４を同期させて時間変調する場合の方が、シリコン酸化膜に対するポリシリコン膜の選択比が高くなる結果を得ることができた。さらに、デューティー比を小さくするに従って選択比が向上した。
【００４４】
本実施例では、パルス遅延時間２０２を高周波バイアス電源１１４の出力のVppが安定する時間としたが、本発明は、このようなパルス遅延時間の設定方法に限定されない。以下に他のパルス遅延時間の設定方法について説明する。
【００４５】
まず制御部１２０は、電磁波発用電源１０９と高周波バイアス電源１１４をパルス状に変調出力するための繰り返し周波数、デューティー比、電磁波発生用電源１０９のオン・オフのタイミングと高周波バイアス電源１１４のオン・オフのタイミング時間情報を、パルス発生ユニット１２１にそれぞれ設定し、電磁波発用電源１０９と高周波バイアス電源１１４のパルス変調出力のタイミングを同期して出力させた場合、マイクロ波出力の立ち上り時の発光状態は除々に上昇していき、いわゆるプラズマ中の電子温度も同じカーブを描くため、図８に示すように、プラズマ発光の安定時間３０１の間に高周波バイアスが印加されると、高周波バイアス出力のVppが大きくなり、上述の通り選択比が低下する。
【００４６】
このため、まず制御部１２０は、電磁波発用電源１０９と高周波バイアス電源１１４をパルス状に変調出力するための繰り返し周波数、デューティー比、電磁波発生用電源１０９のオン・オフのタイミングと高周波バイアス電源１１４のオン・オフのタイミング時間を、パルス発生ユニット１２１にそれぞれ設定し、電磁波発生用電源１０９と高周波バイアス電源１１４のパルス変調出力のタイミングを同期させた時のプラズマの発光レベルを確認する。尚、プラズマの発光レベルは、フォトダイオードを用いて検出し、検出されたプラズマの発光はオシロスコープ１１９に表示して確認する。
【００４７】
次に、電磁波発生用電源１０９のオンのタイミングから安定したプラズマの発光レベル３０２が検出されるまでの時間をパルス遅延時間２０２とする。図９に示すようにこのパルス遅延時間２０２だけ高周波バイアス電源１１４の変調パルス出力立ち上りのタイミングを遅らせることにより、高周波バイアス電源出力のVppを安定させることができる。
【００４８】
また、上記のパルス遅延時間の設定方法以外にパルス遅延時間は、予め実験等により求めた時間を用いてもよい。
【００４９】
次に、電磁波発生用電源１０９と高周波バイアス電源１１４のそれぞれの出力モードを連続的に切り替える場合の最適な手法について実施例を説明する。尚、出力モードとは、パルス変調モードまたは、連続出力モード(パルス変調無し)のことである。
【００５０】
まず制御部１２０は、電磁波発用電源１０９と高周波バイアス電源１１４に対して、連続出力モードで出力する指示を行う。電磁波発用電源１０９と高周波バイアス電源１１４は制御部１２０から指示された連続出力モードで、且つ指示された期間連続出力モードで動作を行う。
【００５１】
次のステップで電磁波発生用電源１０９と高周波バイアス電源１１４の出力モードをパルス変調モードとして連続的に切り替える時、制御部１２０は電磁波発用電源１０９と高周波バイアス電源１１４をパルス状に変調出力するための繰り返し周波数、デューティー比、電磁波発生用電源１０９のオン・オフのタイミングと高周波バイアス電源１１４のオン・オフのタイミング時間を、パルス発生ユニット１２１にそれぞれ設定する。パルス発生ユニット１２１は、制御部１２０からの指示に従い電磁波発用電源１０９と高周波バイアス電源１１４に対して、指示された所望のパルスを出力する。
【００５２】
ここで制御部１２０は、図１０(ａ)に示すような動作シーケンスで、パルス変調モード移行遅延時間４０１の時間だけ電磁波発生用電源１０９へのパルス変調モードへの移行タイミングを、高周波バイアス電源１１４のパルス変調モードへの移行タイミングよりも遅らせる制御を行う。
【００５３】
このような制御部１２０の制御により、高周波バイアス電源１１４の連続出力モードからパルス変調モードへの移行が電磁波発生用電源１０９より先行して実施することが可能となり、高周波バイアスの出力のVppを安定させることができる。
【００５４】
次に、パルス変調モードから連続出力モードへの切替えについて説明する。まず制御部１２０は、電磁波発生用電源１０９と高周波バイアス電源１１４に対して、パルス変調モードで出力する指示を行い、電磁波発生用電源１０９と高周波バイアス電源１１４をパルス状に変調出力するための繰り返し周波数、デューティー比、電磁波発生用電源１０９のオン・オフのタイミングと高周波バイアス電源１１４のオン・オフのタイミング時間を、パルス発生ユニット１２１にそれぞれ設定する。電磁波発生用電源１０９と高周波バイアス電源１１４は制御部１２０から指示されたパルス変調モードで、且つ指示された期間パルス変調モードで動作を行う。
【００５５】
次のステップで電磁波発生用電源１０９と高周波バイアス電源１１４の出力モードを連続出力モードとして連続的に切り替える時、制御部１２０は、図１０(ｂ)のような動作シーケンスで、連続出力モード移行遅延時間４０２の時間だけ高周波バイアス電源１１４のパルス変調モードから連続出力モードへの移行タイミングを、電磁波発生用電源１０９のパルス変調モードから連続出力モードへの移行タイミングよりも遅らせる制御を行う。
【００５６】
このような制御部１２０の制御により、電磁波発生用電源１０９のパルス変調モードから連続出力モードへの移行が高周波バイアス電源１１４より先行して実施することが可能となり、高周波バイアスの出力のVppを安定させることができる。
【００５７】
以上、上述したように本発明は、プラズマ生成用電磁波を時間変調し、さらに高周波バイアスを時間変調できるプラズマ処理装置において、電磁波発生用電源の繰り返し周波数、デューティー比と、高周波バイアス用電源の繰り返し周波数、デューティー比のオンのタイミング制御を行うことで、安定した選択比が得られるプロセス性能を得ることができるプラズマ処理装置である。
【００５８】
また、本発明は、プラズマ生成用電源を連続出力するモードまたはパルス変調するモードで使用し、高周波バイアス電源も連続出力するモードまたはパルス変調するモードで使用するプラズマ処理装置において、プラズマ生成用電源および高周波バイアス電源の出力を連続出力モードからパルス変調モードへ連続的に切り替える場合は、プラズマ生成用電源の連続出力モードからパルス変調モードへの移行を高周波バイアス電源より遅らせる制御を行い、プラズマ生成用電源および高周波バイアス電源の出力をパルス変調モードから連続出力モードへ連続的に切り替える場合は、高周波バイアス電源のパルス変調モードから連続出力モードへの移行をプラズマ生成用電源より遅らせる制御を行うことで、安定した選択比が得られるプロセス性能を得ることができるプラズマ処理装置である。
【００５９】
また、本実施例では、電磁波発生用電源１０９と高周波バイアス電源１１４のパルス変調のタイミング制御を、パルスの周波数、デューティー比で説明したが、制御部１２０とパルス発生ユニット１２１とのインタフェース信号としては、オン時間、オフ時間設定でも本発明は実施可能である。
【００６０】
さらに、本実施例では、電磁波発生用電源１０９と高周波バイアス電源１１４のそれぞれのパルス変調の周波数及びデューティー比は、同じ場合であったが、本発明は、異なるパルス変調の周波数及びデューティー比でも実施可能である。
【００６１】
また、本実施例は、プラズマ源として、ＥＣＲ(Ｅｌｅｃｔｒｏｎ  Ｃｙｃｌｏｔｒｏｎ  Ｒｅｓｏｎａｎｃｅ)方式を用いた例であったが、本発明は、誘導結合型プラズマ（Ｉｎｄｕｃｔｉｖｅｌｙ  Ｃｏｕｐｌｅｄ  Ｐｌａｓｍａ）、容量結合型プラズマ（Ｃａｐａｓｉｔｉｖｅｌｙ  Ｃｏｕｐｌｅｄ  Ｐｌａｓｍａ）等の他のプラズマ生成方式におけるプラズマ処理装置においても同様の効果が得られる。
【００６２】
さらに、本実施例では、オン・オフのパルス変調の例で説明したが、本発明は、ＨｉｇhとＬｏｗの２値からなるパルスを用いても良い。
【符号の説明】
【００６３】
１０１・・・真空容器
１０２・・・シャワープレート
１０３・・・誘電体窓
１０４・・・処理室
１０５・・・ガス供給装置
１０６・・・真空排気装置
１０７・・・導波管
１０９・・・電磁波発生用電源
１１０・・・磁場発生コイル
１１１・・・試料載置用電極
１１２・・・ウエハ
１１３・・・マッチング回路
１１４・・・高周波バイアス電源
１１５・・・高周波フィルター
１１６・・・直流電源
１１７・・・排気用開閉バルブ
１１８・・・排気速度可変バルブ
１１９・・・オシロスコープ
１２０・・・制御部
１２１・・・パルス発生ユニット
１２２・・・第一のパルスカウンタ
１２３・・・第二のパルスカウンタ
１２４・・・制御ユニット
２０１・・・マイクロ波出力遅れ時間
２０２・・・パルス遅延時間
３０１・・・プラズマ発光の安定時間
３０２・・・安定したプラズマの発光レベル
４０１・・・パルス変調モード移行遅延時間
４０２・・・連続出力モード移行遅延時間
【図１】
2014022482.tif 000004
【図２】
2014022482.tif 000005
【図３】
2014022482.tif 000006
【図４】
2014022482.tif 000007
【図５】
2014022482.tif 000008
【図６（ａ）】
2014022482.tif 000009
【図６（ｂ）】
2014022482.tif 000010
【図７】
2014022482.tif 000011
【図８】
2014022482.tif 000012
【図９】
2014022482.tif 000013
【図１０（ａ）】
2014022482.tif 000014
【図１０（ｂ）】
2014022482.tif 000015